(57)【要約】【課題】  医師が優先的に対処すべき患者を判断することを可能にする生体情報処理装置を提供する。【解決手段】  本発明の一態様によれば、各々が複数の生理的項目の値を含む複数のユーザデータを取得する取得部と、前記複数のユーザデータの各々について、前記複数の生理的項目の値に基づいて、前記複数の生理的項目における重篤性を表す複数のスコアを算出する算出部であって、各生理的項目の値と前記各生理的項目に関する少なくとも１つの閾値との比較に基づいて前記各生理的項目のスコアを算出する算出部と、前記複数のユーザデータの各々について、前記複数のスコアの最大値又は最小値に基づいて第１の優先度を決定する第１の決定部と、前記複数のユーザデータを前記第１の優先度の高い順に表示するための表示順情報を生成する生成部と、前記表示順情報を出力する出力部と、を備える生体情報処理装置が提供される。【選択図】図１
2019139477.tif 000002
【特許請求の範囲】
【請求項１】
各々が複数の生理的項目の値を含む複数のユーザデータを取得する取得部と、
前記複数のユーザデータの各々について、前記複数の生理的項目の値に基づいて、前記複数の生理的項目における重篤性を表す複数のスコアを算出する算出部であって、各生理的項目の値と前記各生理的項目に関する少なくとも１つの閾値との比較に基づいて前記各生理的項目のスコアを算出する算出部と、
前記複数のユーザデータの各々について、前記複数のスコアの最大値又は最小値に基づいて第１の優先度を決定する第１の決定部と、
前記複数のユーザデータを前記第１の優先度の高い順に表示するための表示順情報を生成する生成部と、
前記表示順情報を出力する出力部と、
を備える生体情報処理装置。
【請求項２】
前記複数のユーザデータの各々について、前記複数のスコアの合計又は積に基づいて第２の優先度を決定する第２の決定部をさらに備え、
前記生成部は、前記第１の優先度が同じであるグループ内ではユーザデータを前記第２の優先度の高い順に表示するように、前記表示順情報を生成する、請求項１に記載の生体情報処理装置。
【請求項３】
ユーザデータの更新に応じて当該ユーザデータの前記第１の優先度が変化したことに応答して、通知を行う通知部をさらに備える、請求項１又は２に記載の生体情報処理装置。
【請求項４】
前記複数の生理的項目は、収縮期血圧、拡張期血圧、又は収縮期血圧と拡張期血圧との両方を含む、請求項１乃至３のいずれか１項に記載の生体情報処理装置。
【請求項５】
各々が複数の生理的項目の値を含む複数のユーザデータを取得する過程と、
前記複数のユーザデータの各々について、前記複数の生理的項目の値に基づいて、前記複数の生理的項目における重篤性を表す複数のスコアを算出する過程であって、各生理的項目の値と前記各生理的項目に関する少なくとも１つの閾値との比較に基づいて前記各生理的項目のスコアを算出する過程と、
前記複数のユーザデータの各々について、前記複数のスコアの最大値又は最小値に基づいて第１の優先度を決定する過程と、
前記複数のユーザデータを前記第１の優先度の高い順に表示するための表示順情報を生成する過程と、
前記表示順情報を出力する過程と、
を備える生体情報処理方法。
【請求項６】
請求項１乃至４のいずれか１項に記載の生体情報処理装置が備える各部をコンピュータに実行させるためのプログラム。
【発明の詳細な説明】
【技術分野】
【０００１】
本発明は、複数のユーザに関する生体情報を表示する技術に関する。
【背景技術】
【０００２】
近年、情報通信技術を介して医師が患者を診療する遠隔診療が実施されている。遠隔診療では、健康状態の悪い患者を優先的に診療することがある。
【０００３】
例えば、特許文献１には、遠隔治療において患者の治療データを管理する方法が開示されている。この方法は、治療データに対する閾値を記憶し、医療機器から送信された治療データの中から閾値を超える治療データを抽出し、治療データの一覧において、抽出した治療データを強調して表示する。
【先行技術文献】
【特許文献】
【０００４】
【特許文献１】特開２０１７−１４６８９１号公報
【発明の概要】
【発明が解決しようとする課題】
【０００５】
特許文献１に開示された方法では、患者リストが１画面に収まらないほど患者が多い場合や、閾値を超えた治療データが複数ある場合に、医師はどの患者から対処すべきかを瞬時に判断することができない。
【０００６】
本発明は、上記の事情に着目してなされたものであり、その目的は、医師が優先的に対処すべき患者を判断することを可能にする生体情報処理装置、生体情報処理方法、及び生体情報処理プログラムを提供することである。
【課題を解決するための手段】
【０００７】
本発明は、上記課題を解決するために、以下の態様を採用する。
【０００８】
本発明の一態様では、生体情報処理装置は、各々が複数の生理的項目の値を含む複数のユーザデータを取得する取得部と、前記複数のユーザデータの各々について、前記複数の生理的項目の値に基づいて、前記複数の生理的項目における重篤性を表す複数のスコアを算出する算出部であって、各生理的項目の値と前記各生理的項目に関する少なくとも１つの閾値との比較に基づいて前記各生理的項目のスコアを算出する算出部と、前記複数のユーザデータの各々について、前記複数のスコアの最大値又は最小値に基づいて第１の優先度を決定する第１の決定部と、前記複数のユーザデータを前記第１の優先度の高い順に表示するための表示順情報を生成する生成部と、前記表示順情報を出力する出力部と、を備える。
【０００９】
生理的項目は、測定により取得される生体情報の種類を表す情報を指す。生理的項目の例としては、収縮期血圧、拡張期血圧、脈拍数、心拍数、不規則脈波、赤血球、ヘモグロビン、尿酸、血糖、γ−ＧＴＰ、体重、体脂肪率などがある。
【００１０】
上記の構成によれば、生理的項目のいずれかの重篤性が高いユーザデータに高い第１の優先度が割り当てられ、第１の優先度の高い順にユーザデータが表示される。これにより、例えば患者リストにおいて、診療する必要性が高いユーザに関するユーザデータが上位に表示される。その結果、医師は、優先的に対処すべき患者を容易に判断することができる。
【００１１】
本発明の一態様では、上記生体情報処理装置は、前記複数のユーザデータの各々について、前記複数のスコアの合計又は積に基づいて第２の優先度を決定する第２の決定部をさらに備えてもよく、前記生成部は、前記第１の優先度が同じであるグループ内ではユーザデータを前記第２の優先度の高い順に表示するように、前記表示順情報を生成してもよい。
【００１２】
上記の構成によれば、複数の生理的項目の重篤性が高いユーザデータに高い第２の優先度が割り当てられ、第１の優先度が同じグループ内では第２の優先度の高い順にユーザデータが表示される。これにより、同じ第１の優先度を持つユーザデータにおいては、複数の生理的項目について対処する必要があるユーザに関するユーザデータが上位に表示される。その結果、医師は、より優先的に対処すべき患者を容易に判断することができる。
【００１３】
本発明の一態様では、上記の生体情報処理装置は、ユーザデータの更新に応じて当該ユーザデータの前記第１の優先度が変化したことに応答して、通知を行う通知部をさらに備えてもよい。第１の優先度の変化は、生理的項目のいずれかの重篤性が変化したことを示す。上記の構成によれば、医師は、通知を契機として治療方針を検討することが可能になる。
【００１４】
本発明の一態様では、前記複数の生理的項目は、収縮期血圧、拡張期血圧、又は収縮期血圧と拡張期血圧との両方を含んでもよい。上記の構成によれば、医師は、重篤な高血圧の患者を容易に判断することができる。
【発明の効果】
【００１５】
本発明によれば、医師が優先的に対処すべき患者を判断することを可能にする生体情報処理装置、生体情報処理方法、及びプログラムを提供することができる。
【図面の簡単な説明】
【００１６】
【図１】一実施形態に係る遠隔診療システムを例示するブロック図。
【図２】図１に示した遠隔診療支援装置のハードウェア構成の一例を例示するブロック図。
【図３】図１に示した遠隔診療支援装置のソフトウェア構成の一例を例示するブロック図。
【図４】図３に示した算出部がスコアを算出する方法を説明する図。
【図５】図３に示した第１の決定部が第１の優先度を決定する方法を説明する図。
【図６】図１に示した医師端末に表示される患者リストの一例を示す図。
【図７】図１に示した遠隔診療支援装置の動作例を例示するフローチャート。
【図８】図１に示した遠隔診療支援装置の動作例を例示するフローチャート。
【発明を実施するための形態】
【００１７】
以下、図面を参照しながら本発明の実施形態を説明する。
【００１８】
［適用例］
図１を参照して、本発明が適用される場面の一例について説明する。図１は、本発明の一実施形態に係る遠隔診療システム１０を例示する。遠隔診療システム１０は、遠隔診療支援装置２０、医師端末３０、ユーザ端末４０、及び生体情報取得装置５０を備える。遠隔診療支援装置２０、医師端末３０、及びユーザ端末４０は、インターネットなどの通信ネットワークＮＷに接続可能である。図１では、１つの医師端末３０及び２つのユーザ端末４０が示され、各ユーザ端末４０に１つの生体情報取得装置５０が関連付けられている。医師端末３０は２つ以上であってもよい。ユーザ端末４０は３つ以上であってもよい。各ユーザ端末４０に複数の生体情報取得装置５０が関連付けられていてもよい。
【００１９】
医師端末３０は、医師が使用する端末である。医師端末３０は、例えば、デスクトップＰＣ（Personal Computer）、タブレットＰＣ、スマートフォンなどであり得る。
【００２０】
ユーザ端末４０は、ユーザ（患者）が使用する端末である。ユーザ端末４０は、例えば、デスクトップＰＣ、タブレットＰＣ、スマートフォンなどであり得る。
【００２１】
生体情報取得装置５０は、ユーザの生体信号を非侵襲的に測定することで生体情報を取得する。生体情報は、例えば、血圧（収縮期血圧及び／又は拡張期血圧）、心拍数、脈拍数、血糖、体重、体脂肪率などであり得る。生体情報取得装置５０は、ウェアラブルデバイスであってもよく、或いは、例えばユーザの自宅に置かれる、据え置き型のデバイスであってもよい。生体情報取得装置５０は、関連付けられたユーザ端末４０と通信する。生体情報取得装置５０で取得された生体情報を含む測定データは、ユーザ端末４０を介して遠隔診療支援装置２０へ送信される。測定データは、ユーザを識別するための識別情報、測定が実行された時間を表す測定時間情報をさらに含む。
【００２２】
遠隔診療支援装置２０は、医師とユーザとの間で行われる遠隔診療を支援する。具体的には、遠隔診療支援装置２０は、遠隔診療のためのユーザインタフェースを提供する。例えば、医師端末３０とユーザ端末４０との間の通信（例えばテレビ電話やメッセージ交換）に関与する。遠隔診療支援装置２０は、測定データ、診療記録（カルテ）、医療機関で受けた健康診断の結果、生活習慣（喫煙の有無など）に関する情報など、各ユーザに関するデータを記憶し、医師端末３０からの要求に応答してデータ（例えば患者リスト）を医師端末３０に提供する。遠隔診療支援装置２０は、例えば、サーバなどのコンピュータ装置である。
【００２３】
遠隔診療支援装置２０は、取得部２１、算出部２２、第１の決定部２３、第２の決定部２４、生成部２５、及び出力部２６を含む。取得部２１、算出部２２、第１の決定部２３、第２の決定部２４、生成部２５、及び出力部２６を含む部分は、本発明の生体情報処理装置に相当する。
【００２４】
取得部２１は、複数のユーザそれぞれに関する複数のユーザデータを取得する。各ユーザデータは、複数の生理的項目それぞれに係る値（パラメータ）を含む。
【００２５】
算出部２２は、複数のユーザデータの各々について、複数の生理的項目の値に基づいて複数のスコア（ポイントとも言う）を算出する。各スコアは、対応する生理的項目における重篤性を表す。算出部２２は、複数の生理的項目の各々について、その生理的項目の値とその生理的項目に関する少なくとも１つの閾値との比較に基づいてスコアを算出する。本実施形態では、スコアは、重篤性が高いほど大きい値になるように定義される。なお、スコアは、重篤性が高いほど小さい値になるように定義されてもよい。
【００２６】
第１の決定部２３は、複数のユーザデータの各々について、算出部２２によって算出された複数のスコアの最大値に基づいて第１の優先度（第１の優先順位ともいう）を決定する。この場合、重篤性が高い生理的項目が１つでもある場合に、第１の優先度が高くなる。第１の優先度は、生理的項目のうちの重篤性が最も高い生理的項目における重篤性の度合いを表す。第１の決定部２３は、スコアの最大値が大きい値であるほど優先度が高くなるように、第１の優先度を決定する。一例では、複数のスコアの最大値が第１の優先度の値として決定される。
【００２７】
第２の決定部２４は、複数のユーザデータの各々について、算出部２２によって算出された複数のスコアの合計値に基づいて第２の優先度（第２の優先順位ともいう）を決定する。第２の優先度は、総合的な重篤性を表す。一例では、複数のユーザデータの各々について、第２の決定部２４は、スコアの合計値が大きい値であるほど第１の優先度が高くなるように、第２の優先度を決定する。一例では、複数のスコアの合計値が第２の優先度の値として決定される。
【００２８】
重篤性が高いほど小さい値になるようにスコアが定義される実施形態では、第１の決定部２３は、複数のユーザデータの各々について、算出部２２によって算出された複数のスコアの最小値に基づいて第１の優先度を決定する。第１の決定部２３は、スコアの最小値が小さい値であるほど優先度が高くなるように、第１の優先度を決定する。第２の決定部２４は、スコアの合計値が小さい値であるほど第２の優先度が高くなるように、第２の優先度を決定する。
【００２９】
生成部２５は、複数のユーザデータを第１の優先度の高い順に表示し、第１の優先度が同じ値であるグループ内ではユーザデータを第２の優先度の高い順に表示するための表示順情報を生成する。第１の優先度が最も高いグループ、第１の優先度が２番目に高いグループ、第１の優先度が３番目に高いグループ、・・・という順番にユーザデータが表示され、各グループ内では、第２の優先度が高い順番にユーザデータが表示される。表示順情報は、例えば、複数のユーザデータを表示する順序を表す情報を含む。さらに、生成部２５は、生成した表示順情報に基づいてユーザデータを表示する画像（患者リスト）を生成する。
【００３０】
出力部２６は、生成部２５によって生成された表示順情報を出力する。例えば、出力部２６は、表示順情報に基づいて生成された画像のデータを医師端末３０へ送信する。これにより、表示順情報に従って並んだユーザデータを含む患者リストが医師端末３０の表示装置に表示される。
【００３１】
以上のように、生理的項目のいずれかの重篤性がより高いユーザデータは、より高い第１の優先度を割り当てられ、総合的な重篤性がより高いユーザデータは、より高い第２の優先度を割り当てられる。ユーザデータは、第１の優先度に従って並び替えられ、第１の優先度が同じである各グループに含まれるユーザデータは、第２の優先度に従って並び替えられる。これにより、診療する必要性が高いユーザほど上位に表示される。このため、医師は、優先的に診療すべき患者を容易に判断することができる。医師は、表示された患者リストに従って順番に患者を診療することで、抜け漏れなく患者を診療することができる。
【００３２】
次に、より具体的な例にしたがって遠隔診療支援装置２０について説明する。
以下に説明する例は、高血圧治療のための遠隔診療に関連し、生体情報取得装置としてオシロメトリック方式の血圧計が使用される。オシロメトリック方式の血圧計は、収縮期血圧（ＳＢＰ）、拡張期血圧（ＤＢＰ）、脈拍数、及び不規則脈波を測定し、収縮期血圧、拡張期血圧、脈拍数、及び不規則脈波の測定値を含む測定データを取得する。ここで、不規則脈波は、血圧測定時の最も短い又は最も長い脈間隔における血圧測定時の平均脈間隔からのずれを表す。各ユーザは、医師の指導に従い測定を行う。例えば、ユーザは、毎日、起床後と就寝前に測定を行う。
【００３３】
［構成例］
（ハードウェア構成）
図２を参照して、本実施形態に係る遠隔診療支援装置２０のハードウェア構成の一例を説明する。図２は、本実施形態に係る遠隔診療支援装置２０のハードウェア構成の一例を例示する。図２の例では、遠隔診療支援装置２０は、制御部２０１、記憶部２０５、ドライブ２０６、通信インタフェース２０７、及び外部インタフェース２０８を備える。
【００３４】
制御部２０１は、ＣＰＵ（Central Processing Unit）２０２、ＲＡＭ（Random Access Memory）２０３、ＲＯＭ（Read Only Memory）２０４などを含み、情報処理に応じて各構成要素の制御を行う。記憶部２０５は、情報を不揮発に記憶する補助記憶装置である。補助記憶装置としては、例えば、ハードディスクドライブ（ＨＤＤ）、ソリッドステートドライブ（ＳＳＤ）などを使用することができる。記憶部２０５は、制御部２０１により実行されるプログラム（例えば生体情報処理プログラム）、プログラムを実行するために必要な設定データ、ユーザ端末４０から受信した測定データなどを記憶する。記憶部２０５が備える記憶媒体は、コンピュータや機械などが記録されたプログラムなどの情報を読み取り可能なように、当該プログラムなどの情報を、電気的、磁気的、光学的、機械的又は化学的作用によって蓄積する媒体である。
【００３５】
ドライブ２０６は、リムーバブルな記憶媒体に記憶された情報を読み取るための装置である。ドライブの種類は、記憶媒体の種類に応じて適宜選択されてよい。ドライブ２０６は、例えば、ＣＤ（Compact Disk）ドライブ、ＤＶＤ（Digital Versatile Disk）ドライブなどであり得る。記憶媒体は、ＣＤ、ＤＶＤなどのディスク型の記憶媒体に限定される訳ではなく、ディスク型以外であってもよい。ディスク型以外の記憶媒体として、例えば、フラッシュメモリなどの半導体メモリを挙げることができる。上記生体情報処理プログラムは、この記憶媒体に記憶されていてもよい。記憶媒体は、コンピュータや機械などが記録されたプログラムなどの情報を読み取り可能なように、当該プログラムなどの情報を、電気的、磁気的、光学的、機械的又は化学的作用によって蓄積する媒体である。遠隔診療支援装置２０は、この記憶媒体から上記生体情報処理プログラムを取得してもよい。
【００３６】
通信インタフェース２０７は、通信ネットワークＮＷを介した通信を行うためのインタフェースである。通信インタフェース２０７は、典型的には、有線ＬＡＮ（Local Area Network）モジュールなどの有線通信モジュールを含む。なお、通信インタフェース２０７は、有線通信モジュールに代えて又は有線通信モジュールに追加して、無線通信モジュールを含んでもよい。遠隔診療支援装置２０は、通信インタフェース２０７を通じて外部装置（例えば図示しないサーバ）から上記生体情報処理プログラムを取得してもよい。
【００３７】
外部インタフェース２０８は、外部機器と接続するためのインタフェースであり、ＵＳＢ（Universal Serial Bus）ポートなどの各種端子を含む。外部機器は、例えば、キーボードなどの入力装置、ディスプレイなどの出力装置、ＵＳＢメモリなどのリムーバブルメモリなどである。
【００３８】
なお、遠隔診療支援装置２０の具体的なハードウェア構成に関して、実施形態に応じて、適宜、構成要素の省略、置換及び追加が可能である。例えば、制御部２０１は、複数のプロセッサを含んでいてもよい。遠隔診療支援装置２０は、複数台のコンピュータで構成されてもよい。また、遠隔診療支援装置２０は、提供されるサービス専用に設計されたコンピュータであってもよく、汎用のコンピュータにより実施されてもよい。
【００３９】
（ソフトウェア構成）
図３を参照して、本実施形態に係る遠隔診療支援装置２０のソフトウェア構成の一例を説明する。図３は、本実施形態に係る遠隔診療支援装置２０のソフトウェア構成の一例を例示する。図３の例では、遠隔診療支援装置２０は、取得部２５１、算出部２５２、第１の決定部２５３、第２の決定部２５４、生成部２５５、前処理部２５６、第１の通信部２５７、第２の通信部２５８、通知部２５９、及びユーザデータ記憶部２６０を備え、これらは生体情報処理装置を構成する。取得部２５１、算出部２５２、第１の決定部２５３、第２の決定部２５４、生成部２５５、前処理部２５６、第１の通信部２５７、第２の通信部２５８、及び通知部２５９は、遠隔診療支援装置２０の制御部２０１がＲＯＭ２０４及び／又は記憶部２０５に記憶されたプログラムを実行することによって下記の処理を実行する。制御部２０１がプログラムを実行する際は、制御部２０１は、プログラムをＲＡＭ２０３に展開する。そして、制御部２０１は、ＲＡＭ２０３に展開されたプログラムをＣＰＵ２０２により解釈及び実行して、各構成要素を制御する。ユーザデータ記憶部２６０は、記憶部２０５により実現される。
【００４０】
第１の通信部２５７は、通信インタフェース２０７を介してユーザ端末４０と通信する。例えば、第１の通信部２５７は、各ユーザ端末４０から、そのユーザ端末４０を使用するユーザの測定データを受信し、受信した測定データをユーザデータ記憶部２６０に記憶させる。
【００４１】
ユーザデータ記憶部２６０は、ユーザを識別するための識別情報、ユーザの属性情報（例えば年齢及び／又は性別）、血圧計により取得された生体情報（収縮期血圧、拡張期血圧値、脈拍数、及び不規則脈波の測定値）、測定時刻情報などを互いに関連付けて記憶する。
【００４２】
取得部２５１は、図１に示した取得部２１に相当するものである。取得部２５１は、前処理部２５６を介してユーザデータ記憶部２６０から、複数のユーザに関する複数のユーザデータを取得する。これらのユーザは、例えば、ある医師が診療する対象となるユーザである。この例では、各ユーザデータは、ユーザの識別情報、収縮期血圧の値、拡張期血圧の値、及び不規則脈波の値を含み、各生理的項目の値は、測定時間が所定の条件を満たす測定値に基づいて前処理部２５６によって算出される。一例では、収縮期血圧の値は、直近５日間に朝に取得された収縮期血圧の測定値を平均したものである。他の例では、収縮期血圧の値は、収縮期血圧の直近５つの測定値を平均したものである。なお、収縮期血圧の値は、収縮期血圧の最新の測定値であってもよい。この場合、遠隔診療支援装置２０は前処理部２５６を備えていなくてもよい。一例では、不規則脈波の値は、直近５日間に朝に取得された不規則脈波の測定値のうちの最大値である。例えば、直近５日間に朝に取得された不規則脈波の測定値が２３［％］、２５［％］、２８［％］、２６［％］、２５［％］である場合、不規則脈波の値は２８［％］となる。
【００４３】
算出部２５２は、図１に示した算出部２２に相当するものである。算出部２５２は、複数のユーザデータの各々について、収縮期血圧、拡張期血圧、及び不規則脈波の値に基づいて、収縮期血圧、拡張期血圧、及び不規則脈波のスコアを算出する。
【００４４】
図４を参照して、各生理的項目についてスコアを算出する方法を説明する。図４の例では、収縮期血圧に関する３つの閾値ＴＨＳＢＰ１、ＴＨＳＢＰ２、ＴＨＳＢＰ３がＴＨＳＢＰ１＝１６０［ｍｍＨｇ］、ＴＨＳＢＰ２＝１４０［ｍｍＨｇ］、ＴＨＳＢＰ３＝１３０［ｍｍＨｇ］と定められ、拡張期血圧に関する３つの閾値ＴＨＤＢＰ１、ＴＨＤＢＰ２、ＴＨＤＢＰ３がＴＨＤＢＰ１＝１００［ｍｍＨｇ］、ＴＨＤＢＰ２＝９０［ｍｍＨｇ］、ＴＨＤＢＰ３＝８０［ｍｍＨｇ］と定められ、不規則脈波に関する３つの閾値ＴＨＩＨＢ１、ＴＨＩＨＢ２、ＴＨＩＨＢ３がＴＨＩＨＢ１＝７５［％］、ＴＨＩＨＢ２＝５０［％］、ＴＨＩＨＢ３＝２５［％］と定められている。算出部２５２は、収縮期血圧の値と閾値ＴＨＳＢＰ１、ＴＨＳＢＰ２、ＴＨＳＢＰ３との比較に基づいてスコアを算出する。収縮期血圧の値が１６０［ｍｍＨｇ］以上である場合、スコアは「４」であり、収縮期血圧の値が１６０［ｍｍＨｇ］未満、１４０［ｍｍＨｇ］以上である場合、スコアは「３」であり、収縮期血圧の値が１４０［ｍｍＨｇ］未満、１３０［ｍｍＨｇ］以上である場合、スコアは「２」であり、収縮期血圧の値が１３０［ｍｍＨｇ］未満である場合、スコアは「１」である。拡張期血圧及び不規則脈波のスコアも同様にして算出される。
【００４５】
なお、第１の生理的項目（例えば収縮期血圧）に関する閾値の数は、第２の生理的項目（例えば不規則脈波）に関する閾値の数と異なっていてもよい。例えば、図４に関連して上述した例において、不規則脈波に関する閾値の数は２つでもよい。この場合において、例えば、不規則脈波の値が５０［％］以上である場合、スコアは「４」であり、不規則脈波の値が５０［％］未満、２５［％］以上である場合、スコアは「２」であり、不規則脈波の値が２５［％］未満である場合、スコアは「１」である。
【００４６】
第１の決定部２５３は、図１に示した第１の決定部２３に相当するものである。第１の決定部２５３は、複数のユーザデータの各々について、算出部２５２によって算出されたスコアの最大値に基づいて第１の優先度を決定する。
【００４７】
図５を参照して、第１の優先度を算出する方法を説明する。図５の例では、第１の決定部２５３は、スコアの最大値と同じ値に第１の優先度を設定する。例えば、スコアの最大値が「４」である場合、第１の優先度は「４」である。この場合、第１の優先度の値が大きいほど、優先的に診療する必要性が高い。各ユーザデータには、第１の優先度の値に応じたインデクスが割り当てられる。第１の優先度が「４」であるユーザデータには、インデクス「Ｈ」が付与される。インデクス「Ｈ」は「High priority（最優先）」を意味する。第１の優先度が「３」であるユーザデータには、インデクス「ＭＨ」が付与される。インデクス「ＭＨ」は「Mid-High priority（高優先）」を意味する。第１の優先度が「２」であるユーザデータには、インデクス「Ｍ」が付与される。インデクス「Ｍ」は「Medium priority（中優先）」を意味する。第１の優先度が「１」であるユーザデータには、インデクス「Ｌ」が付与される。インデクス「Ｌ」は「High priority（低優先）」を意味する。あるユーザデータについて、収縮期血圧のスコアが「４」、拡張期血圧のスコアが「３」、不規則脈波のスコアが「１」と算出された場合、スコアの最大値は「４」であり、それにより、第１の優先度が「４」と決定され、このユーザデータはインデクス「Ｈ」のグループに分類される。
【００４８】
第２の決定部２５４は、図１に示した第２の決定部２４に相当するものである。第２の決定部２５４は、複数のユーザデータの各々について、スコアの合計に基づいて第２の優先度を決定する。あるユーザデータについて、収縮期血圧のスコアが「４」、拡張期血圧のスコアが「３」、不規則脈波のスコアが「１」と算出された場合、スコアの合計は「８」であり、第２の優先度が値「８」と決定される。この場合、第２の優先度の値が大きいほど、優先的に診療する必要性が高い。
【００４９】
なお、図４の例では、生理的項目の値が閾値のうちの最大のもの以上である場合のスコアは「４」である。このスコアは、より大きい値（例えば「１０」）であってもよい。このようにすると、複数の生理的項目の重篤性が高い場合に、第２の優先度が大きくなりやすい。すなわち、複数の生理的項目の重篤性が高いユーザデータが上位に表示されやすくなる。
【００５０】
また、第２の決定部２５４は、複数のユーザデータの各々について、スコアの積に基づいて第２の優先度を決定してもよい。あるユーザデータについて、収縮期血圧のスコアが「４」、拡張期血圧のスコアが「３」、不規則脈波のスコアが「１」と算出された場合、スコアの積は「１２」であり、第２の優先度が値「１２」と決定される。
【００５１】
生成部２５５は、図１に示した生成部２５に相当するものである。生成部２５５は、複数のユーザデータが第１の優先度の高い順に表示され、同じ第１の優先度を持つグループに含まれるユーザデータが第２の優先度の高い順に表示されるように、複数のユーザデータを表示するための表示順情報を生成する。さらに、生成部２５５は、生成した表示順情報に従って患者リストを表示する画像を生成する。
【００５２】
通知部２５９は、あるユーザデータが更新されてそのユーザデータの第１の優先度が変化したことに応答して、通知を行う。一例では、通知は、生成部２５５によって生成された表示順情報とともに医師端末３０へ送信される。この場合、医師端末３０に表示される患者リストにおいて、該当するユーザデータにフラグ（マーク）が付与される。なお、通知はユーザ端末４０へ送信されてもよい。ユーザ端末４０は、受信した通知に応答して、受診を促すメッセージを表示する。
【００５３】
各生理的項目に関する閾値は、高血圧診療ガイドラインに基づいて決定されることができる。日本高血圧学会が策定した高血圧診療ガイドラインによれば、高血圧と判定する条件は、収縮期血圧が１４０［ｍｍＨｇ］以上であること又は拡張期血圧が９０［ｍｍＨｇ］以上であることと定義されている。さらに、高血圧は、Ｉ度高血圧、ＩＩ度高血圧、ＩＩＩ度高血圧に分類される。Ｉ度高血圧の判定条件は、収縮期血圧が１４０［ｍｍＨｇ］以上、１６０［ｍｍＨｇ］未満であること又は拡張期血圧が９０［ｍｍＨｇ］以上、１００［ｍｍＨｇ］未満であることである。ＩＩ度高血圧の判定条件は、収縮期血圧が１６０［ｍｍＨｇ］以上、１８０［ｍｍＨｇ］未満であること又は拡張期血圧が１００［ｍｍＨｇ］以上、１１０［ｍｍＨｇ］未満であることである。ＩＩＩ度高血圧の判定条件は、収縮期血圧が１８０［ｍｍＨｇ］以上であること又は拡張期血圧が１１０［ｍｍＨｇ］以上であることである。高血圧の分類に応じて治療方針が異なる。
【００５４】
例えば、収縮期血圧又は拡張期血圧の第１の優先度が「２」から「３」へ上がった場合には、ユーザは高血圧に該当することとなり、医師はそのユーザの治療方針を検討する必要がある。また、収縮期血圧又は拡張期血圧の第１の優先度が「３」から「４」に上がった場合には、医師は治療方針の変更を検討する必要がある。
【００５５】
上述したように、通知部２５９は、第１の優先度が変わったときに通知を行う。このため、医師は、通知を受けることで治療方針を検討又は再検討する必要性を認識することができる。なお、通知は、第１の優先度が上がったときに出力されるが、第１の優先度が下がったときに出力されないようにしてもよい。
【００５６】
第２の通信部２５８は、図１に示した出力部２６に相当するものである。第２の通信部２５８は、通信インタフェース２０７を介して医師端末３０を通信する。第２の通信部２５８は、生成部２５５によって生成された画像のデータを医師端末３０へ送信する。例えば、第２の通信部２５８は、医師端末３０から患者リストの要求を受信し、受信した要求に応じて画像データを医師端末３０へ送信する。なお、第２の通信部２５８は、ユーザデータ及び表示順情報を医師端末３０へ送信し、それにより、患者リストがユーザデータ及び表示順情報に従って医師端末３０において生成されるようにしてもよい。
【００５７】
図６は、医師端末３０において表示される患者リストの一例を例示する。図６において、「ＮＯ．」のフィールドはユーザの識別情報を格納する。「ＧＥＮＤＥＲ」のフィールドはユーザの性別を格納する。「ＡＧＥ」のフィールドはユーザの年齢を格納する。「ＩＮＣＩＤＥＮＴ／ＭＥＡＳＵＲＥＭＥＮＴ」のフィールドは、収縮期血圧が閾値（例えば１８０［ｍｍＨｇ］）を超えた回数と血圧測定を行った回数とを格納する。「ＡＶＧ．ＢＰ」のフィールドは、収縮期血圧の平均値と拡張期血圧の平均値とを格納する。これらの平均値は、前処理部２５６によって算出され、算出部２５２によるスコアの算出に使用される。「ＡＶＧ．ＰＲ」のフィールドは、脈拍数の平均値を格納する。「ＩＨＢ」のフィールドは、不規則脈波の値を格納する。この不規則脈波の値は、前処理部２５６によって算出され、算出部２５２によるスコアの算出に使用される。「ＡＤＨＥＲＥＮＣＥ」のフィールドは、服薬すべき回数に対する実際に服薬した回数の割合を格納する。
【００５８】
さらに、各ユーザデータに付与されたインデクスが表示される。インデクス表示では、インデクスの値に応じて異なる色が割り当てられる。例えば、インデクス「Ｈ」は赤色で表示され、インデクス「ＭＨ」はオレンジ色で表示され、インデクス「Ｍ」は黄色で表示され、インデクス「Ｌ」は緑色で表示される。
【００５９】
また、フラグ６０１は、ユーザからの新規メッセージがあることを表す。アイコン６０２は、ユーザの健康状態に関する健康状態情報を表示するためのアイコンである。アイコン６０２が医師により選択されると、健康状態情報が画面に表示される。健康状態情報は、例えば、ユーザデータ記憶部２６０に記憶されているユーザデータから抽出された情報を含む。また、健康状態情報は、ユーザデータ記憶部２６０に記憶されているユーザデータ及び／又は健康診断の結果に基づいて予測される、脳血管疾患又は心血管疾患を発症するリスクを表す指標を含んでもよい。アイコン６０３は、ユーザから受信したメッセージを表示したり、ユーザへメッセージを送信するためのアイコンである。フラグ６０４は、通知部２５９から出力された通知があることを示す。すなわち、フラグ６０４が付与されたユーザデータは、第１の優先度が変わったユーザデータである。
【００６０】
図６に示されるように、インデクス「Ｈ」を割り当てられた（すなわち、第１の優先度が最も高い）ユーザデータのグループが最上位に位置し、インデクス「ＭＨ」を割り当てられたユーザデータのグループがその下に位置し、インデクス「Ｍ」を割り当てられたユーザデータのグループがさらに下に位置し、インデクス「Ｌ」を割り当てられたユーザデータのグループが最も下位に位置している。
【００６１】
インデクス「Ｈ」のグループは、識別番号が「０８９」、「１６２」、「２１１」、「００３」、「０７８」、「０５６」であるユーザデータを含む。識別番号が「０８９」、「１６２」、「２１１」、「００３」であるユーザデータについては、第２の優先度が「９」であり、識別番号が「０７８」であるユーザデータについては、第２の優先度が「８」であり、識別番号が「０５６」であるユーザデータについては、第２の優先度が「７」である。インデクス「Ｈ」のグループ内では、第２の優先度が高いほど上位にユーザデータが位置している。
【００６２】
なお、本実施形態では、遠隔診療支援装置２０の機能がいずれも汎用のプロセッサによって実現される例について説明している。しかしながら、機能の一部又は全部が１又は複数の専用のプロセッサにより実現されてもよい。
【００６３】
［動作例］
図７及び図８を参照して、本実施形態に係る遠隔診療支援装置２０の動作例を説明する。
【００６４】
図７は、本実施形態に係る遠隔診療支援装置２０が表示順情報を生成する動作フローを例示する。図６のステップＳ１０１では、制御部２０１は、取得部２５１として動作し、ユーザデータ記憶部２６０から複数のユーザデータを取得する。各ユーザデータは、収縮期血圧の値、拡張期血圧の値、及び不規則脈波の値を含む。
【００６５】
ステップＳ１０２では、制御部２０１は、算出部２５２として動作し、複数のユーザデータの各々について、収縮期血圧の値、拡張期血圧の値、及び不規則脈波の値に基づいて収縮期血圧のスコア、拡張期血圧のスコア、及び不規則脈波のスコアを算出する。例えば、制御部２０１は、収縮期血圧に関する閾値との比較に基づいて収縮期血圧の値をスコアに変換し、拡張期血圧に関する閾値との比較に基づいて拡張期血圧の値をスコアに変換し、不規則脈波に関する閾値との比較に基づいて不規則脈波の値をスコアに変換する。複数のユーザデータの各々について、３つのスコアが得られる。
【００６６】
ステップＳ１０３では、制御部２０１は、第１の決定部２５３として動作し、複数のユーザデータの各々について、ステップＳ１０２で算出された３つのスコアの最大値に基づいて第１の優先度を決定する。例えば、制御部２０１は、複数のユーザデータの各々について、３つのスコアの最大値に第１の優先度を設定する。
【００６７】
ステップＳ１０４では、制御部２０１は、第２の決定部２５４として動作し、複数のユーザデータの各々について、ステップＳ１０２で算出された３つのスコアの合計値に基づいて第２の優先度を決定する。例えば、制御部２０１は、複数のユーザデータの各々について、３つのスコアの合計値に第２の優先度を設定する。
【００６８】
ステップＳ１０５では、制御部２０１は、生成部２５５として動作し、複数のユーザデータを第１の優先度の高い順に表示し、第１の優先度が同じグループ内では第２の優先度の高い順にユーザデータを表示するための表示順情報を生成し、生成した表示順情報に基づいて表示データ（患者リストの表示データ）を生成する。
【００６９】
ステップＳ１０６では、制御部２０１は、第２の通信部２５８として動作し、表示データを医師端末３０へ送信する。
【００７０】
図７は、第１の優先度が変わったことを示す通知を行う動作フローを例示する。図７のステップＳ２０１では、制御部２０１は、図６のステップＳ１０１〜Ｓ１０５に示される処理と同様にして表示順情報を生成する。ステップＳ２０２では、１又は複数のユーザに関するユーザデータが更新される。例えば、制御部２０１は、第１の通信部２５７として動作し、あるユーザのユーザ端末４０から新たな測定データを受信する。制御部２０１は、前記あるユーザに関するユーザデータを格納する領域に、受信した新たな測定データを追加する。
【００７１】
ステップＳ２０３では、制御部２０１は、図６のステップＳ１０１〜Ｓ１０５に示される処理と同様にして、表示順情報を再び生成する。この過程で第１の優先度が再び算出される。なお、第１の優先度及び第２の優先度を算出する処理は、更新されたユーザデータに関して実行され、更新されてないユーザデータに関して実行されなくてもよい。
【００７２】
ステップＳ２０４では、制御部２０１は、第１の優先度が変わったユーザデータがあるか否かを判定する。具体的には、制御部２０１は、複数のユーザデータの各々について、ステップＳ２０１で得られた第１の優先度とステップＳ２０３で得られた第１の優先度とを比較し、第１の優先度が変わったユーザデータを探索する。第１の優先度が変わったユーザデータがある場合は、ステップＳ２０５に進み、第１の優先度が変わったユーザデータがない場合は、終了となる。
【００７３】
ステップＳ２０５では、制御部２０１は、通知部２５９として動作し、第１の優先度が変わったユーザデータの各々に対する通知を出力する。例えば、制御部２０１は、患者リストにおいて第１の優先度が変わったことを示すマークが該当するユーザデータに付与されるように、患者リストを表示する画像データを生成する。
【００７４】
［効果］
以上のように、本実施形態に係る遠隔診療支援装置２０は、各々が複数の生理的項目の値を含む複数のユーザデータを取得し、複数のユーザデータの各々について、複数の生理的項目の値に基づいて複数のスコアを算出し、複数のユーザデータの各々について、複数のスコアの最大値又は最小値に基づいて第１の優先度を決定し、複数のユーザデータの各々について、複数のスコアの合計に基づいて第２の優先度を決定し、複数のユーザデータを第１の優先度の高い順に表示し、第１の優先度が同じであるグループ内ではユーザデータを第２の優先度の高い順に表示するように、表示順情報を生成する。このため、生理的項目のいずれかの重篤性がより高いユーザデータは、より高い第１の優先度を割り当てられ、総合的な重篤性がより高いユーザデータは、より高い第２の優先度を割り当てられる。第１の優先度がより高いグループに属するユーザデータがより上位に表示され、第１の優先度が同じグループ内ではより高い第２の優先度を有するユーザデータがより上位に表示される。これにより、診療する必要性が高いユーザほど上位に表示される。このため、医師は、優先的に診療すべき患者を容易に判断することができる。生理的項目として血圧値（収縮期血圧値及び／又は拡張期血圧値）が含まれる場合、重篤な高血圧の患者が上位に表示されるので、高血圧治療を行うべきユーザを容易に判断することができる。医師は、表示された患者リストに従って順番に患者を診療することで、抜け漏れなく患者を診療することができる。
【００７５】
さらに、ユーザデータの更新により第１の優先度が変わったユーザデータがある場合、その旨の通知が出力される。これにより、医師は、通知を契機として治療方針を検討することができるようになる。
【００７６】
［その他の実施形態］
なお、この発明は上記実施形態に限定されるものではない。例えば、遠隔診療支援装置２０の上述した機能の一部又は全部は、医師端末３０に備わっていてもよい。また、生体情報処理装置は、病院において入院患者の健康状態を管理するために使用されてもよい。
【００７７】
要するに本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００７８】
１０…遠隔診療システム、
２０…遠隔診療支援装置、２１…取得部、２２…算出部、２３…第１の決定部、
２４…第２の決定部、２５…生成部、２６…出力部、
３０…医師端末、４０…ユーザ端末、５０…生体情報取得装置、
２０１…制御部、２０２…ＣＰＵ、２０３…ＲＡＭ、２０４…ＲＯＭ、
２０５…記憶部、２０６…ドライブ、２０７…通信インタフェース、
２０８…外部インタフェース、
２５１…取得部、２５２…算出部、２５３…第１の決定部、２５４…第２の決定部、
２５５…生成部、２５６…前処理部、２５７…第１の通信部、２５８…第２の通信部、
２５９…通知部、２６０…ユーザデータ記憶部。
【図１】
2019139477.tif 000003
【図２】
2019139477.tif 000004
【図３】
2019139477.tif 000005
【図４】
2019139477.tif 000006
【図５】
2019139477.tif 000007
【図６】
2019139477.tif 000008
【図７】
2019139477.tif 000009
【図８】
2019139477.tif 000010